(57)【要約】携帯デバイス内で実行されているマルチメディア表示プロセスは、ユーザー入力信号を捕捉することで、ユーザーがマルチメディア表示プロセスを手動で終了させることを必要とせずに、マルチメディアの表示から別のタスクへの切り替えを行うことを可能にする。【選択図】  図３【特許請求の範囲】
【請求項１】
携帯通信デバイス上でのマルチメディアコンテンツの再生の間に、ユーザー主導の通信を可能にする方法であって、
ユーザー・インターフェイス要素を前記マルチメディアコンテンツと関連付けるステップと、
前記マルチメディアコンテンツを再生すると、前記ユーザー・インターフェイス要素を前記ユーザーに知らせるユーザープロンプトが表示されるように、前記ユーザープロンプトを前記マルチメディアコンテンツと関連付けるステップと、
通信チャンネルを規定しているデータを前記ユーザー・インターフェイス要素と関連付けるステップと、
を含む方法であって、
前記通信チャンネルを規定しているデータを前記ユーザー・インターフェイス要素と関連付けるステップが、前記ユーザーによって前記ユーザー・インターフェイス要素が作動されることで、前記携帯通信デバイスによって前記通信チャンネルを介した通信が確立されるようにして実行されることを特徴とする前記方法。
【請求項２】
さらに、前記マルチメディアコンテンツの一部であって、再生時間内で前記ユーザー・インターフェイス要素が有効にされる部分を指定しているデータを関連付けるステップを含む請求項１に記載の方法。
【請求項３】
前記通信チャンネルを規定しているデータが、音声通信を確立する先の電話番号を指定している請求項１に記載の方法。
【請求項４】
前記通信チャンネルを規定しているデータが、データメッセージを送信する先の電話番号を指定している請求項１に記載の方法。
【請求項５】
前記通信チャンネルを規定しているデータが、データメッセージを送信する先のメールアドレスを指定している請求項１に記載の方法。
【請求項６】
前記通信チャンネルを規定しているデータが、前記携帯通信デバイスのブラウズロジックを用いてブラウズするURLを指定している請求項１に記載の方法。
【請求項７】
前記マルチメディアコンテンツがビデオコンテンツを含む請求項１に記載の方法。
【請求項８】
前記マルチメディアコンテンツがオーディオコンテンツを含む請求項１に記載の方法。
【請求項９】
前記ユーザープロンプトが文字メッセージを含む請求項１に記載の方法。
【請求項１０】
前記ユーザープロンプトが、前記マルチメディアコンテンツのビデオとともに表示される文字メッセージを含む請求項１に記載の方法。
【請求項１１】
携帯通信デバイス上で表示されるマルチメディアコンテンツと関連したインタラクティブな通信を提供する方法であって、
ユーザー・インターフェイス要素を特定させるためにユーザープロンプトを表示するステップと、
前記ユーザー・インターフェイス要素のユーザーによる作動を検出するステップと、
前記ユーザーによる作動に応じて、前記マルチメディアコンテンツおよび前記ユーザー・インターフェイス要素と関連付けられた通信チャンネルを介した、前記携帯通信デバイスの通信を確立するステップと、を含み、
これらのステップが前記携帯通信デバイス上での前記マルチメディアコンテンツの再生の間に実行されることを特徴とする前記方法。
【請求項１２】
前記表示するステップが、前記マルチメディアコンテンツの前記再生の時間全体よりも短い時間の間、前記ユーザープロンプトを表示するステップを含み、
さらに、前記検出するステップが、前記ユーザープロンプトを表示するステップの間に実行される請求項１１に記載の方法。
【請求項１３】
前記通信を確立するステップが、前記携帯通信デバイスを介して音声通信を確立するためにある電話番号へ電話をかけるステップを含む請求項１１に記載の方法。
【請求項１４】
前記通信を確立するステップが、前記携帯通信デバイスを介して、ある電話番号へデータメッセージを送信するステップを含む請求項１１に記載の方法。
【請求項１５】
前記通信を確立するステップが、前記携帯通信デバイスを介して、あるメールアドレスへデータメッセージを送信するステップを含む請求項１１に記載の方法。
【請求項１６】
前記通信を確立するステップが、前記携帯通信デバイスを介して、あるURLをブラウズするステップを含む請求項１１に記載の方法。
【請求項１７】
前記マルチメディアコンテンツがビデオコンテンツを含む請求項１１に記載の方法。
【請求項１８】
前記マルチメディアコンテンツがオーディオコンテンツを含む請求項１１に記載の方法。
【請求項１９】
前記ユーザープロンプトが文字メッセージを含む請求項１１に記載の方法。
【請求項２０】
前記ユーザープロンプトが、前記マルチメディアコンテンツのビデオとともに表示される文字メッセージを含む請求項１１に記載の方法。
【発明の詳細な説明】
【発明の分野】
【０００１】
本発明は、一般的に無線通信デバイスのアプリケーションに関し、より詳しくは、マルチメディアコンテンツの表示中に、そのようなアプリケーションの中でクリックスルー(click-through)またはクリックツーコール(click-to-call)機能を実行することに関する。
【発明の背景】
【０００２】
最近、消費者はオンラインコンテンツが、今まで以上にイマーシブ(immersive)になり、かつインタラクティブ(interactive)になることを期待している。コンピュータ上で見るオンラインコンテンツに関しても実際にこのような期待がなされている。また携帯端末(handheld device)上でみるコンテンツに関しても、このような期待が次第に高まりつつある。これは、特に移動中のインターネットのブラウズ(internet browsing)がかなり一般的となり、広がったためである。
【０００３】
しかし、今日の汎用コンピュータ(general purpose computers)が十分なリソースを有しているため、多くの処理を同時に実行したり、割り込みトラップ(interrupt traps)にユーザーのインタラクションを検出させることができる一方で、携帯デバイスは多くの場合、限られたOSのもとで作動する上、限られたリソースしか有していない。一部の環境下では、一度に一つのプログラムしか実行できず、これにより携帯デバイス上で、あるタスクから別のタスクへの切り替えを行うことがいくらか困難となっている。
【発明の開示】
【０００４】
本発明によれば、マルチメディア表示プロセスは、ユーザー入力信号を捕捉することで、ユーザーがこのマルチメディア表示プロセスを手動で終了させることを必要とせずに、マルチメディアの表示から別のタスクへの切り替えを行うことを可能にしている。例えば、一つの簡単なユーザー入力ジェスチャーによって、マルチメディアコンテンツと関連付けられた電話番号への電話を、そのマルチメディアコンテンツを再生している間に開始させることができる。プロンプトは、該ユーザーがマルチメディアコンテンツの主題と関連した情報に接続できるということを、ユーザーに音声通信によって知らせるように、そのマルチメディアコンテンツと関連付けられる。例えば、ある携帯電話上で、爽快なドライブを車内から写したビデオを、その上に「お近くでの試運転をお望みならダイヤルを押してください(For a test drive near you, press Dial)」という文字メッセージを重ねた状態で再生することができる。加えて、その携帯電話のソフトボタンに、「ダイヤル(Dial)」のラベルを持たせることができる。ユーザーが、プロンプトが見えている状態でそのソフトボタンを押すと、ビデオの再生は停止され、ユーザーは電話によって、ビデオに写っていた自動車を販売している特定メーカーのディーラーのうちで近所にあるものに接続される。
【０００５】
本発明の実施形態は、メディアコンテンツ（例えば、オーディオコンテンツまたはビデオコンテンツもしくはそれら両方）を表示するアプリケーションの中で、クリック機能を直感的かつ便利なやり方で消費者に見えるようにする方法を提供している。消費者は、すぐに、デバイスのなんらかの機能を用いて、現在表示されたメディアを中断し、コンテンツの提供者への通信リンクを起動させることができる。消費者とコンテンツ提供者間の特定のタイプの通信は、静的ではない場合があるが、この場合この通信は、メディアが表示される全時間の間、特定のタイプと一般的なタイプで、変更を行うことができる。
【０００６】
ある実施形態では、携帯通信デバイス上の特定のボタンを押して、コンテンツ提供者とデバイスの電話機能を介してコンタクトをとるというオプションを、アプリケーションが視覚的な手段によって消費者に示している。このアプリケーションは、消費者が示されたボタンを押すとすぐに、現在再生されているメディアの表示を停止し(halt)、続けてコンテンツ提供者への電話をかける。この通信トランザクション(communication transaction)が終了されると、アプリケーションは、電話前にもともとブラウズしていたロケーション(location)へ戻り、ユーザーはそこからブラウズを再開することができる。
【０００７】
本明細書で説明されているような機能によって、コンテンツ提供者は、様々なタイプのメディアを消費者に見せている間に、特定の瞬間を見ている消費者を対象として、その消費者に別のパスを通るナビゲーションを提示し、その消費者にコンテンツ提供者との「その瞬間の」通信を提供することが可能となる。
【０００８】
特に、ナビゲーションによる別のパスでは、消費者は無線デバイスの通信機能を用いることでコンテンツ提供者と直接的なコンタクトを取ることとなる。コンテンツ提供者は、このような通信チャンネルを用いて消費者から情報を集めることや、消費者に即時かつ最新の情報を提供することができ、それによってさらなるインタラクションが容易となる。
【図面の簡単な説明】
【０００９】
【図１】本発明に係るさまざまなネットワークと、サーバーと、通信機器および携帯通信デバイスを示す略図である。
【図２】図１の携帯通信デバイスをより詳しく示す図である。
【図３】図２の携帯通信デバイスの一般的な構造を示しているブロック図である。
【図４】本発明に係るクリックスルー機能とクリックツーコール機能の両方またはいずれか一方を可能にしているマルチメディアメタデータを示しているブロック図である。
【図５】本発明に係るクリックスルー機能とクリックツーコール機能の両方またはいずれか一方に関する処理の論理フローチャートである。
【発明の詳細な説明】
【００１０】
本発明によれば、携帯通信デバイス（例えば携帯電話108（図２）など）は、現在再生しているマルチメディアコンテンツ（例えばビデオ202など）に関連した情報が利用可能であることを示すプロンプト204をユーザーに提示する。例えば、その関連情報は、ソフトボタン(soft button)208を押すとかけられる電話を介して利用可能となるものであってもよい。これによって、ビデオ202は本当の意味でインタラクティブとなる。すなわち、一度の簡単なユーザーの入力ジェスチャーに応じて、そのマルチメディアコンテンツの再生を一時停止もしくは(pause)停止し(stop)、ユーザーがビデオ202の内容(content)に関連したさらなる情報を積極的に探し出すことが可能となっている。
【００１１】
ユーザーの視点からみると、マルチメディア体験は、非常にインタラクティブである。というのも、さらなる関連情報をボタン一つ押すだけで利用できるからである。コンテンツ提供者の視点からみると、面白くかつ目を引くビデオまたはその他のマルチメディアコンテンツ内にコンテンツへのリンクを埋め込むことで、そのコンテンツはよりいっそう興味を引きやすくなり、それによってより反応を引き出しやすくなることなどが考えられる。
【００１２】
図１に示されているように、携帯電話108は、無線通信ネットワーク106（例えば従来のデータ利用可能な(data-capable)携帯電話のネットワーク）と通信状態にある。無線通信ネットワーク106は、インターネット104および公衆交換電話網(public switched telephone network: PSTN)110と通信状態にある。したがって、携帯電話108は、インターネット104を介して利用できる情報（例えばサーバ102からの情報）をブラウズすることや、PSTN 110を介して例えば電話112と音声通信することができる。
【００１３】
携帯電話108は、図３にダイアグラム形式で示されている。携帯電話108の代わりに、例えば、スマートフォンや、携帯情報端末(PDA)や、音声機能付きPDAなどの他のデバイスを用いてもよいということを理解されたし。携帯電話108は、メモリ304からデータまたは命令もしくはそれら両方を読み出し、従来のやり方で読み出した命令を実行するマイクロプロセッサ302を有している。
【００１４】
マイクロプロセッサ302およびメモリ304は、本実施形態ではバスであるインターコネクト(interconnect)306を介して相互接続されている。同様に、インターコネクト306は、一つまたは複数の入力装置308と、一つまたは複数の出力装置310と、ネットワークアクセス回路312と接続されている。入力装置308は、本実施形態では典型的な無線電話のキーパッドおよびマイクロホンを備えている。出力装置310は、本実施形態では液晶ディスプレイ(LCD)に加え、携帯電話108によって受信されたオーディオを再生するための第１のスピーカーと、呼び出し音(ring signal)を再生するための第２のスピーカーとを備えている。同様に、入力装置308と出力装置310は、従来のヘッドセット(headset)を介しての音声通信をサポートするための従来のヘッドセットジャック(headset jack)を共同で(collectively)備えている。ネットワークアクセス回路312は、ネットワークを介してデータ通信または音声通信もしくはそれら両方を行うためのトランシーバおよびアンテナを備えている。
【００１５】
ブラウズロジック(browser logic)314は、インターネット104を介して利用可能な情報をブラウズする際の携帯電話108の動作を規定している命令もしくはデータの集まりである。本明細書で説明されたことを除いてブラウズロジック314は従来どおりである。
【００１６】
マルチメディア再生ロジック(multimedia playback logic)316は、ユーザーに向けてマルチメディアコンテンツ（例えばビデオ202など）を再生する際の携帯電話108の動作を規定している命令もしくはデータの集まりである。マルチメディア再生ロジック316は、ブラウズロジック314からのコマンド（例えば、マルチメディアコンテンツの再生の開始、停止、一時停止、再開(resume)など）に応答するようになっている。
【００１７】
テレフォニAPI（アプリケーション・プログラミング・インターフェース）318は、従来のやり方でネットワークアクセス回路312を介して通信を確立または実行する際の携帯電話108の動作を規定している命令およびデータの集まりである。テレフォニAPI 318は、他のロジック（例えばブラウズロジック314など）からコマンドを受け入れて電話通信を行う。このようなコマンドには、例えば、特定の電話番号にダイヤルすることや、受話器を取った状態(off-hook)にすることや、受話器を置いた状態(on-hook)にすること（すなわち電話を切ること）などが含まれていてもよい。
【００１８】
履歴データ(history data)320は、ブラウズロジック314の過去の(previous)活動を示すデータ（例えば、前にインターネット104を介して訪れたサイトなど）を格納している。
【００１９】
マルチメディアコンテンツの再生の間にユーザーへ提示するために、プロンプト204（図２）およびソフトボタン208に対するラベル206は、そのマルチメディアコンテンツと関連付けられたメタデータ（例えばマルチメディアメタデータ402（図４）など）として記述されている。ここで説明している例では、ビデオ202（図２）は、携帯電話108で表示(presentation)するために、サーバー102によってインターネット104（図１）を介して供給されている。さらに、サーバー102は、マルチメディアメタデータ402（図４）をビデオ202（図２）と関連付けている。
【００２０】
サーバー102内のビデオ202（図２）に対するリクエストを、携帯電話108（図１）から受け取ると、サーバー102は、それに応じて、ビデオ202に対応するデータおよびマルチメディアメタデータ402（図４）を送る。
【００２１】
マルチメディアメタデータ402には、一つまたは複数の同期リンク(contemporaneous link)（例えば、同期リンク404など）が含まれている。同期リンク404には、コンタクトタイプ(contact type)406と、コンタクトアドレス(contact address)408と、コンタクトの説明(contact description)410と、オフセット範囲(offset range)412と、が含まれている。
【００２２】
コンタクトタイプ406は、同期リンク404と関連付けられるコンタクトの種類を指定する。コンタクトタイプ406は、例えば、音声電話や、SMS/MMS/XMSメッセージ（本明細書では単にSMSメッセージとよぶ）や、電子メールメッセージや、WAPリンクや、HTTPリンクであってもよい。
【００２３】
コンタクトアドレス408は、ユーザーが同期リンク404を実行した際に向かうアドレスを指定する。コンタクトタイプ406が音声電話もしくはSMSメッセージを指定している場合、コンタクトアドレス408はそれぞれ、音声電話を確立するためにダイヤルする電話番号もしくは、SMSメッセージの送り先の電話番号を指定する。コンタクトタイプ406が電子メールメッセージを指定している場合、コンタクトアドレス408は電子メールメッセージの送り先のメールアドレスを指定する。コンタクトタイプ406がWAPリンクもしくはHTTPリンクを指定している場合、コンタクトアドレス408は、同期リンク404が作動した際にブラウズロジック314が向かうURLを指定する。
【００２４】
コンタクトの説明410は、プロンプトの現れ方(appearance)（例えば、プロンプト204およびラベル206）を指定する。ユーザーは、このプロンプトによって、同期リンク404の性質とその実行方法またはそのどちらか一方に関する情報を得る。図２で説明されている例では、プロンプト204は、「お近くでの試運転をお望みならダイヤルを押してください」という文章を表示することによってユーザーに入力を促している。さらに、ラベル206はソフトボタンが「ダイヤル」であることを示している。このようにして、ユーザーは、プロンプト204が表示されている間にソフトボタン208を押すことで、新車の試運転の手配方法に関する情報が提供されるということを知ることとなる。
【００２５】
オフセット範囲412は、ビデオ202内で開始オフセットと終了オフセットを指定する。同期リンク404は、この開始オフセットと終了オフセットの間にアクティブとなる。
【００２６】
論理フローチャート500（図５）は、ビデオ202を再生するとともに、関連付けられたマルチメディアメタデータ402の処理を行っているときの携帯電話108（図２）の動作を示している。ステップ502（図５）で、ブラウズロジック314は、マルチメディア再生ロジック(multimedia playback logic)316によってビデオ202（図２）の再生を開始する。ステップ502での再生の間に、マルチメディア再生ロジック316は、ビデオ202の再生時間内でオフセット範囲412（図４）によって指定されている時間の間、同期リンクの情報（例えばプロンプト204）がビデオ202上に表示されるようにする。本実施形態では、コンタクトの説明410（図４）は、プロンプト204の内容およびソフトボタン208と関連付けられるラベル206を指定している。別の実施形態では、プロンプト204は、従来のビデオ編集技術を用いて、インターネット104を介してビデオ202を配信する前にビデオ202の実質的なコンテンツに加えられる。この実施形態では、コンタクトの説明410（図４）は、ソフトボタン208と関連付けられるラベル206を指定する。どちらの場合でも、ビデオ202のオフセット範囲412によって示されている部分の再生の間、ラベル206は、マルチメディア再生ロジック316（図３）によって、ソフトボタン208に関連付けられる。
【００２７】
ステップ504（図５）では、マルチメディア再生ロジック316（図３）は、ビデオ202のオフセット範囲412によって示されている部分の再生の間、ソフトボタン208の作動(actuation)を非動期的に検出する。その際、マルチメディア再生ロジック316は、ソフトボタン208の作動が検出された時点が含まれているオフセット範囲を特定することで、マルチメディアメタデータ402内の特定の同期リンクを特定する。本実施形態では、特定の同期リンクは同期リンク404である。
【００２８】
ステップ506（図５）では、ブラウズロジック314（図３）によって、マルチメディア再生ロジック316は、ビデオ202の再生を一時停止するか、または別のやり方ではビデオ202の再生を停止する。一部の携帯デバイスでは、常に、一つのプロセスしか実行することができない。これは、典型的にはデバイス自身の制限もしくはそのデバイスのOSの制限である。これらの場合には、マルチメディア再生ロジック316は、ビデオ202の再生を停止する。
【００２９】
ステップ508（図５）では、マルチメディア再生ロジック316（図３）は、ユーザーによって実行された同期リンクに従ってコンタクトを開始する。本実施形態では、ユーザーが同期リンク404を実行すると、ブラウズロジック314は、コンタクトタイプ406およびコンタクトアドレス408に従ってコンタクトを開始する。コンタクトタイプ406およびコンタクトアドレス408が共同で(collectively)、特定の電話番号への電話を指定している場合、マルチメディア再生ロジック316（図３）は、テレフォニAPI 318を介して、その特定の電話番号への電話を開始する。コンタクトタイプ406およびコンタクトアドレス408が共同で、特定の電話番号へのSMSメッセージを指定している場合、マルチメディア再生ロジック316（図３）は、テレフォニAPI 318を介して、その特定の電話番号へのSMSメッセージの送信を開始する。コンタクトタイプ406およびコンタクトアドレス408が共同で、特定のメールアドレスへの電子メールメッセージを指定している場合、マルチメディア再生ロジック316（図３）は、その特定のメールアドレスへの電子メールメッセージの送信を開始する。コンタクトタイプ406およびコンタクトアドレス408が共同で、あるWAP URLまたはHTTP URLを指定している場合、マルチメディア再生ロジック316（図３）は、その指定されたURLからコンテンツを読み込み(retrieve)、それを表示する。
【００３０】
コンタクトタイプ406およびコンタクトアドレス408が共同で、特定の電話番号への電話またはSMSメッセージを指定しており、それが携帯電話108およびそのOSにサポートされている場合、マルチメディア再生ロジック316（図３）による処理は、その指定されたコネクションが終わり次第ステップ510へ移る。コネクションが電話である場合、テレフォニAPI 318は、ステップ508で開始された電話が終了するとともにマルチメディア再生ロジック316（図３）にコネクションが終了したことを知らせる。コネクションがSMSメッセージである場合、テレフォニAPI 318は、メッセージの送信が完了するとともにマルチメディア再生ロジック316)にコネクションが終了したことを知らせる。
【００３１】
ステップ510（図５）では、マルチメディア再生ロジック316（図３）によって、ブラウズロジック314は従来のやり方でブラウズ動作(browsing behavior)を再開し、また入力装置308を介してのユーザーとのインタラクションへの対応を再開する。ある実施形態では、ブラウズロジック314は、ビデオ202の表示する直前にブラウズしていたロケーションへと戻る。そのロケーションは、従来のやり方でバックトラックすることを可能にするために履歴データ320内に格納されている。履歴データ320内には、おそらくこのロケーション以外のロケーションも格納されている。別の実施形態では、ブラウズロジック314は、あらかじめ決められた次のロケーションにおいてブラウズを再開する。例えば、マルチメディアメタデータ402には、ビデオ202の表示が終わった後に続いてブラウズするURLを指定しているデータが含まれていてもよい。このデータとしては、例えば、同期リンクで、そのオフセット範囲がビデオ202の終わりを含んでいるものが挙げられる。ビデオ202の再生が完了するか、もしくはステップ508で開始されたコンタクトが終了したら、ブラウズロジック314は、URLによって指定されたロケーションにおいてブラウズを再開する。
【００３２】
ステップ510が終わると、論理フローチャート500に係る処理は完了する。
【００３３】
以上では、電話番号もしくはその他のコンタクト情報と関連付けられたマルチメディアコンテンツとしてビデオ202について説明したが、同様のやり方で、別の形態のマルチメディアをコンタクト情報と関連付けることもできるということを理解されたし。例えば、ユーザーに向けてオーディオ信号を再生している間に、テキストまたはグラフィックもしくはその両方によるプロンプトによって、ユーザーに「ダイヤルを押してこの曲を注文してください(Press Dial to order this song)」または「ダウンロードを押してこの着信音をダウンロードしてください(Press Download to download this ring tone)」などと知らせてもよい。
【００３４】
以上の記述は、本発明の実施形態を説明するためだけのものであり、本発明の範囲を限定するものではない。代わりに、本発明は、添付の請求項およびそれらと均等な全範囲によってのみ規定される。
【図１】
2009545930.tif 000002
【図２】
2009545930.tif 000003
【図３】
2009545930.tif 000004
2009545930.tif 000005
【図４】
2009545930.tif 000006
【図５】
2009545930.tif 000007
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
携帯通信デバイスでマルチメディアコンテンツを受信するステップであって、前記マルチメディアコンテンツは、当該マルチメディアコンテンツの主題と関連した一つまたは複数のインターフェイス要素を記述しているメタデータを含んでいるステップと、
前記マルチメディアコンテンツを前記携帯通信デバイス上で再生するステップと、
前記マルチメディアコンテンツを再生するステップの間に、前記一つまたは複数のインターフェイス要素と関連付けられた一つまたは複数のプロンプトを表示するステップと、
前記一つまたは複数のインターフェイス要素のうちの少なくとも一つと関連付けられた通信チャンネルを確立するステップと、
を含む方法であって、
前記通信チャンネルを確立するステップが、前記一つまたは複数のインターフェイス要素のうちの前記少なくとも一つと関連付けられた前記一つまたは複数のプロンプトのうちの少なくとも一つの作動に応じて実行されることを特徴とする前記方法。
【請求項２】
さらに、前記マルチメディアコンテンツの所定の部分の再生の間に、前記一つまたは複数のプロンプトの表示を可能にするステップを含む請求項１に記載の方法。
【請求項３】
前記通信チャンネルを確立するステップが音声通信を確立するステップを含む請求項１に記載の方法。
【請求項４】
前記通信チャンネルを確立するステップが、データメッセージを送信するためにデータチャンネルを確立するステップを含む請求項１に記載の方法。
【請求項５】
前記データチャンネルを確立するステップが、前記データメッセージを送信する先の電話番号もしくはメールアドレスのどちらか一つを指定するステップを含む請求項４に記載の方法。
【請求項６】
前記通信チャンネルを確立するステップが、前記携帯通信デバイスのブラウズロジックを用いてグローバル通信ネットワークのURLをブラウズするステップを含む請求項１に記載の方法。
【請求項７】
前記マルチメディアコンテンツがビデオコンテンツを含む請求項１に記載の方法。
【請求項８】
前記マルチメディアコンテンツがオーディオコンテンツを含む請求項１に記載の方法。
【請求項９】
前記少なくとも一つのプロンプトが文字メッセージを含む請求項１に記載の方法。
【請求項１０】
前記文字メッセージを、前記マルチメディアコンテンツのビデオの再生中に表示するステップを含む請求項９に記載の方法。
【請求項１１】
携帯通信デバイスでマルチメディアコンテンツを受信するステップであって、前記マルチメディアコンテンツは当該マルチメディアコンテンツの主題と関連した一つまたは複数のインターフェイス要素を記述しているメタデータを含んでいるステップと、
前記一つまたは複数のインターフェイス要素と関連付けられた一つまたは複数のプロンプトを表示するステップと、
前記一つまたは複数のインターフェイス要素のうちの少なくとも一つと関連付けられた通信チャンネルを確立するステップと、
を含む方法であって、
前記表示するステップと前記通信チャンネルを確立させるステップは、前記携帯通信デバイス上での前記マルチメディアコンテンツの再生の間に実行されるようになっており、また前記通信チャンネルを確立するステップは、前記一つまたは複数のインターフェイス要素のうちの前記少なくとも一つと関連付けられた前記一つまたは複数のプロンプトのうちの少なくとも一つの作動の検出に応じて実行されることを特徴とする前記方法。
【請求項１２】
前記表示するステップが、前記マルチメディアコンテンツの前記再生の時間全体よりも短い時間の間に、前記一つまたは複数のプロンプトを表示するステップを含んでおり、かつ前記作動の検出が、前記一つまたは複数のプロンプトを表示するステップの間に実行される請求項１１に記載の方法。
【請求項１３】
前記通信チャンネルを確立するステップが、前記携帯通信デバイスを介して音声通信を確立するためにある電話番号へ電話をかけるステップを含む請求項１１に記載の方法。
【請求項１４】
前記通信チャンネルを確立するステップが、前記携帯通信デバイスを介してある電話番号へデータメッセージを送信するステップを含む請求項１１に記載の方法。
【請求項１５】
前記通信チャンネルを確立するステップが、前記携帯通信デバイスを介してあるメールアドレスへデータメッセージを送信するステップを含む請求項１１に記載の方法。
【請求項１６】
前記通信チャンネルを確立するステップが、前記携帯通信デバイスを介してあるURLをブラウズするステップを含む請求項１１に記載の方法。
【請求項１７】
前記マルチメディアコンテンツがビデオコンテンツを含む請求項１１に記載の方法。
【請求項１８】
前記マルチメディアコンテンツがオーディオコンテンツを含む請求項１１に記載の方法。
【請求項１９】
前記一つまたは複数のプロンプトのうち前記少なくとも一つが文字メッセージを含む請求項１１に記載の方法。
【請求項２０】
前記一つまたは複数のプロンプトのうち前記少なくとも一つが、前記マルチメディアコンテンツのビデオとともに表示される文字メッセージを含む請求項１９に記載の方法。
【請求項２１】
さらに、前記一つまたは複数のプロンプトのうち前記少なくとも一つの作動に応じて、前記マルチメディアコンテンツの再生を停止するステップを含む請求項１１に記載の方法。
【請求項２２】
さらに、前記一つまたは複数のプロンプトのうち前記少なくとも一つの作動の検出に応じて、前記マルチメディアコンテンツの前記再生を自動的に停止するステップを含む請求項１１に記載の方法。
【請求項２３】
マルチメディアコンテンツを再生するステップであって、前記マルチメディアコンテンツは、当該マルチメディアコンテンツの主題と関連した一つまたは複数のインターフェイス要素を記述しているメタデータを含んでいるステップと、
前記マルチメディアコンテンツを再生するステップと同期させて、前記一つまたは複数のインターフェイス要素と関連付けられた一つまたは複数のプロンプトを表示するステップと、
前記一つまたは複数のインターフェイス要素のうちの少なくとも一つと関連付けられた通信チャンネルを確立するステップと、
を実行するように構成されている再生ロジックを有している携帯通信デバイスであって、
前記通信チャンネルを確立するステップが、前記一つまたは複数のインターフェイス要素のうちの前記少なくとも一つと関連付けられた前記一つまたは複数のプロンプトのうちの少なくとも一つの作動に応じて実行されることを特徴とする前記携帯通信デバイス。
【請求項２４】
さらに、前記再生ロジックが、前記マルチメディアコンテンツの所定の部分の再生の間に、前記一つまたは複数のプロンプトを表示するように構成されている請求項２３に記載の携帯通信デバイス。
【請求項２５】
前記通信チャンネルが、音声通信チャンネルとデータ通信チャンネルのうち少なくとも一つを含む請求項２３に記載の携帯通信デバイス。
【請求項２６】
さらに、前記再生ロジックが前記データ通信チャンネルを介して電子メールを送信するように構成されている請求項２５に記載の携帯通信デバイス。
【請求項２７】
さらに、前記再生ロジックが前記音声通信チャンネルを介してある電話番号への電話を確立するように構成されている請求項２３に記載の携帯通信デバイス。
【請求項２８】
さらに、前記再生ロジックが、前記一つまたは複数のプロンプトのうちの前記少なくとも一つの前記作動に応じて、前記マルチメディアコンテンツの前記再生を自動的に停止するように構成されている請求項２３に記載の携帯通信デバイス。
【請求項２９】
前記マルチメディアコンテンツが、ビデオコンテンツとオーディオコンテンツのうちのどちらか一つを含む請求項２３に記載の携帯通信デバイス。
【請求項３０】
前記一つまたは複数のプロンプトが文字メッセージを含む請求項２３に記載の携帯通信デバイス。
【請求項３１】
前記一つまたは複数のインターフェイス要素が、一つまたは複数のコンタクトタイプや、コンタクトアドレスや、コンタクトの説明や、オフセット範囲を有している請求項２３に記載の携帯通信デバイス。
【請求項３２】
携帯通信デバイスでマルチメディアコンテンツを受信するための手段であって、前記マルチメディアコンテンツは当該マルチメディアコンテンツの主題と関連した一つまたは複数のインターフェイス手段を記述しているメタデータを含んでいる手段と、
前記マルチメディアコンテンツを前記携帯通信デバイス上で再生するための手段と、
前記マルチメディアコンテンツを再生している間に、前記一つまたは複数のインターフェイス手段と関連付けられた一つまたは複数のプロンプトを表示するための手段と、
前記一つまたは複数のインターフェイス手段のうちの少なくとも一つと関連付けられた通信チャンネルを確立するための手段と、
を有している装置であって、
前記通信チャンネルを確立するステップが、前記一つまたは複数のインターフェイス手段のうちの前記少なくとも一つと関連付けられた前記一つまたは複数のプロンプトのうちの少なくとも一つの作動に応じて実行されることを特徴とする前記装置。
【請求項３３】
さらに、前記マルチメディアコンテンツの所定の部分の再生の間に、この前記一つまたは複数のプロンプトを表示することを可能にするための手段を有している請求項３２に記載の装置。
【請求項３４】
さらに、前記通信チャンネルを確立するための前記手段が、音声通信を確立するための手段を有している請求項３２に記載の装置。
【請求項３５】
さらに、前記通信チャンネルを確立するための前記手段が、データメッセージを送信するためにデータチャンネルを確立するための手段を有している請求項３２に記載の装置。
【請求項３６】
さらに、前記データチャンネルを確立するための前記手段が、前記データメッセージを送る先の電話番号もしくはメールアドレスのどちらか一方を指定するための手段を有している請求項３５に記載の装置。
【請求項３７】
さらに、前記通信チャンネルを確立するための前記手段が、前記携帯通信デバイスのブラウズロジック手段を用いて、グローバル通信ネットワークのURLをブラウズするための手段を有している請求項３２に記載の装置。
【請求項３８】
前記マルチメディアコンテンツがビデオコンテンツを含む請求項３２に記載の装置。
【請求項３９】
前記マルチメディアコンテンツがオーディオコンテンツを含む請求項３２に記載の装置。
【請求項４０】
前記少なくとも一つのプロンプトが文字メッセージを含む請求項３２に記載の装置。
【請求項４１】
さらに、前記文字メッセージを前記マルチメディアコンテンツのビデオの再生中に表示するための手段を有している請求項４０に記載の装置。
【請求項４２】
命令が格納されているコンピュータ読み取り可能な媒体であって、それらの命令がプロセッサによって実行されると、
携帯通信デバイスでマルチメディアコンテンツを受信するステップであって、前記マルチメディアコンテンツは当該マルチメディアコンテンツの主題と関連した一つまたは複数のインターフェイス要素を記述しているメタデータを含んでいるステップと、
前記携帯通信デバイス上での前記マルチメディアコンテンツの再生の間に実行される、前記一つまたは複数のインターフェイス要素と関連付けられた一つまたは複数のプロンプトを表示するステップと、
前記一つまたは複数のインターフェイス要素のうちの少なくとも一つと関連付けられた通信チャンネルを確立するステップと、
を含む方法が実行される前記コンピュータ読み取り可能な媒体であり、
前記通信チャンネルを確立するステップが、前記一つまたは複数のインターフェイス要素のうちの前記少なくとも一つと関連付けられた前記一つまたは複数のプロンプトのうちの少なくとも一つの作動の検出に応じて実行されることを特徴とする前記コンピュータ読み取り可能な媒体。
【請求項４３】
さらに、前記方法が、前記マルチメディアコンテンツの前記再生の時間全体よりも短い時間の間に、前記一つまたは複数のプロンプトを表示するステップと、
前記一つまたは複数のプロンプトを表示するステップの間に作動を検出するステップと、
を含む請求項４２に記載のコンピュータ読み取り可能な媒体。
【請求項４４】
さらに、前記方法が、前記携帯通信デバイスを介して音声通信を確立するためにある電話番号へ電話をかけるステップを含む請求項４２に記載のコンピュータ読み取り可能な媒体。
【請求項４５】
さらに、前記方法が、前記携帯通信デバイスを介してある電話番号へデータメッセージを送信するステップを含む請求項４２に記載のコンピュータ読み取り可能な媒体。
【請求項４６】
さらに、前記方法が、前記携帯通信デバイスを介してあるメールアドレスへデータメッセージを送信するステップを含む請求項４２に記載のコンピュータ読み取り可能な媒体。
【請求項４７】
さらに、前記方法が、前記携帯通信デバイスを介してあるURLをブラウズするステップを含む請求項４２に記載のコンピュータ読み取り可能な媒体。
【請求項４８】
前記マルチメディアコンテンツがビデオコンテンツを含む請求項４２に記載のコンピュータ読み取り可能な媒体。
【請求項４９】
前記マルチメディアコンテンツがオーディオコンテンツを含む請求項４２に記載のコンピュータ読み取り可能な媒体。
【請求項５０】
前記一つまたは複数プロンプトのうちの前記少なくとも一つが文字メッセージを含む請求項４２に記載のコンピュータ読み取り可能な媒体。
【請求項５１】
前記一つまたは複数プロンプトのうちの前記少なくとも一つが、前記マルチメディアコンテンツのビデオとともに表示される文字メッセージを含む請求項４２に記載のコンピュータ読み取り可能な媒体。
【請求項５２】
さらに、前記方法が、前記一つまたは複数プロンプトのうちの前記少なくとも一つの前記作動に応じて、前記マルチメディアコンテンツを再生するステップを停止するステップを含む請求項４２に記載のコンピュータ読み取り可能な媒体。
【請求項５３】
さらに、前記方法が、前記一つまたは複数プロンプトのうちの前記少なくとも一つの前記作動の検出に応じて、前記マルチメディアコンテンツの前記再生を自動的に停止するステップを含む請求項４２に記載のコンピュータ読み取り可能な媒体。
【国際調査報告】
2009545930.tif 000008
2009545930.tif 000009